(57)【要約】【課題】加熱された場合であっても、室内枠材と室外枠材とを連結する部材が溶融し難い断熱枠部材及び建具を提供する。【解決手段】室内側に配置される室内枠材と室外側に配置される室外枠材とが断熱材により連結された枠本体と、前記枠本体に設けられ前記断熱材を覆うカバー部材と、加熱されたときに前記枠本体と前記カバー部材との間に発泡する加熱発泡材と、を有する。【選択図】図３
2018080550.tif 000002
【特許請求の範囲】
【請求項１】
室内側に配置される室内枠材と室外側に配置される室外枠材とが断熱材により連結された枠本体と、
前記枠本体に設けられ前記断熱材を覆うカバー部材と、
加熱されたときに前記枠本体と前記カバー部材との間に発泡する加熱発泡材と、
を有することを特徴とする断熱枠部材。
【請求項２】
請求項１に記載の断熱枠部材であって、
前記カバー部材は、前記加熱発泡材が係合されることにより保持される保持部を有し、
前記保持部は、前記枠本体と前記カバー部材との間に形成される空間側が開放されていることを特徴とする断熱枠部材。
【請求項３】
請求項１または請求項２に記載の断熱枠部材であって、
前記加熱発泡材は、前記断熱材と対向する位置に設けられていることを特徴とする断熱枠部材。
【請求項４】
請求項１乃至請求項３のいずれかに記載の断熱枠部材であって、
前記室内枠材、前記室外枠材、及び、前記断熱材は、室内側から室外側に水が排出される排水面を形成しており、
前記加熱発泡材は、前記排水面と間隔を空けて設けられていることを特徴とする断熱枠部材。
【請求項５】
請求項１乃至請求項４のいずれかに記載の断熱枠部材と、
前記断熱枠部材に支持される障子と、を有することを特徴とする建具。
【発明の詳細な説明】
【技術分野】
【０００１】
本発明は、室内枠材と室外枠材とが断熱材により連結されている断熱枠部材及び建具に関する。
【背景技術】
【０００２】
室内枠材と室外枠材とが断熱材により連結されている断熱枠部材及び建具としては、例えば、上枠、下枠、および左右の縦枠を四周枠組みした断熱窓枠、及び、この断熱窓枠に支持されたれた室内外一対の障子を備えた建具が知られている（例えば、特許文献１参照）。この建具の断熱窓枠は、上枠及び下枠は、それぞれアルミ形材製の室内部材と室外部材とが樹脂製の断熱部材により連結されている。また、室内部材と室外部材とが連結された、例えば、下枠は、室内外の障子をそれぞれ案内する室内側レールおよび室外側レールが設けられており、室内側レールよりも室内側の室内部材の上面を覆う樹脂製の室内側カバー部材と、室内側レールと室外側レールとの間隔部分の上面を覆う樹脂製の中間カバー部材とが設けられている。
【先行技術文献】
【特許文献】
【０００３】
【特許文献１】特開２００８−１２７９０３号公報
【発明の概要】
【発明が解決しようとする課題】
【０００４】
上記断熱窓枠は、アルミ形材製の室内部材と室外部材とを連結する断熱部材が樹脂製なので、火炎等に晒された場合には、断熱部材が溶融してしまう虞がある。また、室内側レールよりも室内側の室内部材の上面及び室内側レールと室外側レールとの間隔部分の上面を覆う室内側カバー部材及び中間カバー部材も樹脂製なので、火炎等に晒された場合に、断熱部材が溶融されることを防止することはできない、という課題がある。
【０００５】
本発明は、かかる課題に鑑みてなされたものであり、その目的とするところは、加熱された場合であっても、室内枠材と室外枠材とを連結する部材が溶融し難い断熱枠部材及び建具を提供することにある。
【課題を解決するための手段】
【０００６】
かかる目的を達成するために本発明の断熱枠部材は、室内側に配置される室内枠材と室外側に配置される室外枠材とが断熱材により連結された枠本体と、前記枠本体に設けられ前記断熱材を覆うカバー部材と、加熱されたときに前記枠本体と前記カバー部材との間に発泡する加熱発泡材と、を有することを特徴とする断熱枠部材である。
【０００７】
このような断熱枠部材によれば、室内枠材と室外枠材を連結する断熱材を覆うカバー部材と枠本体との間に発泡する加熱発泡材が設けられているので、火災等により加熱されたとしても、断熱材は発泡した加熱発泡材により覆われることにより、断熱材が溶融されることを防止することが可能である。このため、加熱された場合であっても、室内枠材と室外枠材とを連結する断熱材が溶融し難い断熱枠部材を提供することが可能である。
【０００８】
かかる断熱枠部材であって、前記カバー部材は、前記加熱発泡材が係合されることにより保持される保持部を有し、前記保持部は、前記枠本体と前記カバー部材との間に形成される空間側が開放されていることが望ましい。
【０００９】
このような断熱枠部材によれば、カバー部材に設けられた保持部に加熱発泡材を係合させるだけで、加熱発泡材を備えることが可能である。このため、例えば、接着する、或いは、加熱発泡材を備える為の部材を別途用いることなく容易に、かつ安価に加熱発泡材を備えることが可能である。また、保持部は枠本体とカバー部材との間に形成される空間側が開放されているので、加熱発泡材を保持部に備えるだけで、加熱された際には加熱発泡材を枠本体とカバー部材との間に発泡させることが可能である。
【００１０】
かかる断熱枠部材であって、前記加熱発泡材は、前記断熱材と対向する位置に設けられていることが望ましい。
このような断熱枠部材によれば、加熱発泡材と断熱材とが対向しているので、加熱されたときには、加熱発泡材にて断熱材をより確実に覆って断熱材の溶融を防止することが可能である。
【００１１】
かかる断熱枠部材であって、前記室内枠材、前記室外枠材、及び、前記断熱材は、室内側から室外側に水が排出される排水面を形成しており、前記加熱発泡材は、前記排水面と間隔を空けて設けられていることが望ましい。
【００１２】
このような断熱枠部材によれば、加熱発泡材は、室内枠材、室外枠材、及び、断熱材が形成する排水面と間隔を空けて設けられているので、加熱発泡材により室内側から室外側に排出される水の排水経路を遮ることなく加熱発泡材を設けることが可能である。
【００１３】
また、上記断熱枠部材と、前記断熱枠部材に支持される障子と、を有することを特徴とする建具である。
このような建具によれば、加熱された場合であっても、室内枠材と室外枠材とを連結する断熱材が溶融し難い断熱枠部材を備えた建具を提供することにある。
【発明の効果】
【００１４】
本発明によれば、加熱された場合であっても、室内枠材と室外枠材とを連結する部材が溶融し難い断熱枠部材及び建具を提供することが可能である。
【図面の簡単な説明】
【００１５】
【図１】本実施形態に係る建具を示す縦断面図である。
【図２】図１におけるＡ部の拡大図である。
【図３】図１におけるＢ部の拡大図である。
【図４】下枠の排水経路を示す縦断面図である。
【図５】変形例を示す縦断面図である。
【図６】縦枠に加熱発泡材を設ける場合の一例を示す横断面図である。
【発明を実施するための形態】
【００１６】
以下、本発明の一実施形態に係る断熱枠部材及び建具について図面を参照して説明する。
本実施形態の建具１は、例えば図１に示すように、矩形状に枠組みされた断熱枠部材としての枠体２と、枠体２に案内されて移動する引違い障子をなす内障子３及び外障子４と、外障子４より室外側に設けられている網戸５と、を備えている。
【００１７】
以下の説明においては、建物に取り付けられている建具１を室外側から見たときに、上下となる方向を上下方向、左右となる方向を左右方向、奥行き方向を見込み方向として示す。建具１の各部位であっても、また、建具１をなす各部材が単体の状態であっても、取り付けられた状態にて上下方向、左右方向、見込み方向となる方向にて方向を特定して説明する。
【００１８】
枠体２は、上枠２１及び下枠２２と左右配置される縦枠（不図示）とが接合されて矩形状をなしている。上枠２１及び下枠２２には、各々長手方向に沿って設けられ、互いに対向する方向に突出されて、内障子３、外障子４、及び網戸５が案内されるレール２１ａ、２１ｂ、２１ｃ、２２ａ、２２ｂ、２２ｃが設けられている。
【００１９】
上枠２１は、矩形状に接合される上枠本体２１０と上カバー部材６とを有し、下枠２２は、矩形状に接合される下枠本体２２０と下カバー部材９とを有している。
【００２０】
上枠本体２１０及び下枠本体２２０は、いずれもアルミニウム製の押出成形材でなり、室内側に配置される室内枠材２１１、２２１と室外側に配置される室外枠材２１２、２２２とを有しており、室内枠材２１１、２２１と室外枠材２１２、２２２とは合成樹脂製の断熱材２４により連結されている。連結された室内枠材２１１、２２１と室外枠材２１２、２２２とは、見込み方向に間隔が空いており、室内枠材２１１、２２１と室外枠材２１２、２２２との間からは断熱材２４が上方及び下方に露出する。
【００２１】
図２に示すように、上枠本体２１０の室内枠材（以下、上室内枠材という）２１１は、室外側の端に断熱材２４が設けられる上内連結部２１１ａと、上内連結部２１１ａから垂設された室内側上レール２１ａと、上内連結部２１１ａから延出されて室内側に設けられ躯体に固定される上内本体部２１１ｂと、を有している。
【００２２】
上枠本体２１０の室外枠材（以下、上室外枠材という）２１２は、室内側の端に断熱材２４が設けられる上外連結部２１２ａと、上外連結部２１２ａから上方に延出されて躯体に固定される上外固定部２１２ｂと、見込み方向において上外連結部２１２ａの室外側に間隔を空けて垂設され室内側上レール２１ａと平行をなす室外側上レール２１ｂと、見込み方向において室外側上レール２１ｂの室外側に間隔を空けて垂設され室外側上レール２１ｂと平行をなす上網戸レール２１ｃと、上外連結部２１２ａ、室外側上レール２１ｂ、及び、上網戸レール２１ｃの上端部を連結する連結上面部２１２ｃと、を有している。
【００２３】
上外連結部２１２ａの下端部と室外側上レール２１ｂの上端部側には、連結上面部２１２ｃの下方に間隔を空けた位置に、互いに対向する側に突出する上突起２１２ｄが各々設けられている。上突起２１２ｄには、室内側上レール２１ａと室外側上レール２１ｂとの間を下方から覆う上カバー部材６が係合される。上カバー部材６は、内障子３及び外障子４を閉じたときに、左右方向における中央にて召合せ框(不図示)上の空間を塞ぐ風止め部材(不図示)を挟んで、外障子４が位置する側に少なくとも設けられている。また、上カバー部材６は、風止め部材の両側の全領域にわたってそれぞれ設けられていても良い。
【００２４】
上カバー部材６は、アルミニウム製または合成樹脂製の押出成形材であり、上突起２１２ｄより下方にて、下面が平面をなす上カバー板部６ａと、上カバー板部６ａの上面に設けられ上突起２１２ｄに係合される上内係合部６ｂ及び上外係合部６ｃと、上カバー板部６ａの、上内係合部６ｂ及び上外係合部６ｃより室内側に設けられ加熱発泡材８を保持する上加熱発泡材保持部６ｄと、を有している。
【００２５】
上カバー板部６ａは、室内側上レール２１ａと室外側上レール２１ｂとの間を覆う板状の部位である。上内係合部６ｂは、上カバー板部６ａの上面から上方に延出された上内壁部６ｅと、上内壁部６ｅの上端部が室内側に延出されて上外連結部２１２ａ側の上突起２１２ｄと係合する上内延出片６ｆと、を有している。上外係合部６ｃは、上カバー板部６ａの上面から上方に延出された上外壁部６ｇと、上外壁部６ｇの上端部が室内側に延出されて上外連結部２１２ａ側の上突起２１２ｄと係合する上外延出片６ｈと、を有している。
【００２６】
上内係合部６ｂの上内壁部６ｅと上外係合部６ｃの上外壁部６ｇとは、見込み方向に間隔を空けて対向しており、上内壁部６ｅと上外壁部６ｇとの間の上カバー板部６ａには、弾性部材７が設けられている。弾性部材７は、上内延出片６ｆ及び上外延出片６ｈより上方に突出させて設けられている。
【００２７】
上加熱発泡材保持部６ｄは、室内側上レール２１ａに近接させて配置される上カバー板部６ａの室内側に設けられている。上加熱発泡材保持部６ｄは、上カバー板部６ａの室内側の縁と、室内側の縁から室外側に間隔を空けた位置にそれぞれ設けられ、上方に突出された２つの上方突出部６ｉと、２つの上方突出部６ｉの上端部から互いに対向する方向に延出された上延出係合片６ｊと、を有している。
【００２８】
２つの上方突出部６ｉの見込み方向における間隔は、保持する加熱発泡材８の幅より僅かに広く設けられ、上カバー板部６ａと上延出係合片６ｊとの上下方向の間隔は保持する加熱発泡材８の厚みより僅かに広く設けられている。
【００２９】
加熱発泡材８は、上カバー部材６の側方から上加熱発泡材保持部６ｄに長手方向に沿って挿入して装着する。互いに対向する上延出係合片６ｊ間は間隔が空いており、上加熱発泡材保持部６ｄは、上枠本体２１０と上カバー部材６との間の空間側が開放されている。このため、上加熱発泡材保持部６ｄに係合されて装着された加熱発泡材８は、上枠本体２１０側に露出している。
【００３０】
加熱発泡材８が装着された上カバー部材６は、上内延出片６ｆ及び上外延出片６ｈが上突起２１２ｄの上に位置する状態に係合されて取り付けられる。このとき、上カバー板部６ａ上に設けられた弾性部材７が、上カバー板部６ａと連結上面部２１２ｃとの間にて圧縮されることにより、上内延出片６ｆ及び上外延出片６ｈが上突起２１２ｄに押圧されて保持される。
【００３１】
上カバー部材６が、上枠本体２１０に取り付けられたときに、上カバー部材６に設けられた加熱発泡材８が、上枠２１の断熱材２４と対向するように配置される。このため、上枠２１が加熱されると、加熱発泡材８は、上枠本体２１０と上カバー部材６との間に発泡し断熱材２４の下面を覆う。
【００３２】
図３に示すように、下枠本体２２０の室内枠材（以下、下室内枠材という）２２１は、室外側の端に断熱材２４が設けられる下内連結部２２１ａと、下内連結部２２１ａから立設された室内側下レール２２ａと、下内連結部２２１ａから延出されて室内側に設けられ躯体に固定される下内本体部２２１ｂと、を有している。
【００３３】
下枠本体２２０の室外枠材（以下、下室外枠材という）２２２は、室内側の端に断熱材２４が設けられる下外連結部２２２ａと、下外連結部２２２ａから下方に延出されて躯体に固定される下外固定部２２２ｂと、見込み方向において下外連結部２２２ａの室外側に間隔を空けて立設され室内側下レール２２ａと平行をなす室外側下レール２２ｂと、見込み方向において室外側下レール２２ｂの室外側に間隔を空けて立設され室外側下レール２２ｂと平行をなす下網戸レール２２ｃと、下外連結部２２２ａ、室外側下レール２２ｂ、及び、下網戸レール２２ｃの下端部を連結する下連結上面部２２２ｃと、下連結上面部２２２ｃの室外側下レール２２ｂと下網戸レール２２ｃとの間から垂設された下外壁部２２２ｄと、下外固定部２２２ｂと下外壁部２２２ｄとを、下連結上面部２２２ｃと上下方向に間隔を空けた位置にて連結する下連結下面部２２２ｅと、を有している。
【００３４】
下外固定部２２２ｂと、下連結上面部２２２ｃと、下外壁部２２２ｄと、下連結下面部２２２ｅとは、左右方向に貫通する中空部２２２ｆを形成している。また、図４に示すように、下連結上面部２２２ｃには、中空部２２２ｆと上下に連通する上面水抜き孔２２２ｇが、下外壁部２２２ｄには、左右方向における一部が中空部２２２ｆと見込み方向に連通する外側水抜き孔２２２ｈが、それぞれ穿孔されている。
【００３５】
外側水抜き孔２２２ｈには、中空部２２２ｆから水を排出可能とし、外からの風の進入を防止する水抜き部材１１が設けられている。また、室内側下レール２２ａの下端部には、室内側下レール２２ａの室内側と室外側とを連通するレール水抜き孔２２２ｉが設けられている。このため、室内側下レール２２ａの室内側に生じた、例えば結露水などは、レール水抜き孔２２２ｉから上面水抜き孔２２２ｇを通って中空部２２２ｆに進入し、外側水抜き孔２２２ｈの水抜き部材１１を通って外部に排出される。すなわち、室内側下レール２２ａの室内側から室内側下レール２２ａと室外側下レール２２ｂとの間に至る排水面が、下内連結部２２１ａの上面２２１ｃ、下内本体部２２１ｂの上面２２１ｄ、断熱材２４の上面２４ａ、下外連結部２２２ａの上面２２２ｊ、及び、下連結上面部２２２ｃの上面２２２ｋにより形成されており、排水面から中空部２２２ｆを通って水抜き部材１１から外部に水が排出される排水経路が設けられている。
【００３６】
下外連結部２２２ａの上端部と室外側下レール２２ｂの下端部側には、下連結上面部２２２ｃとの間に下カバー部材９が係止される下突起２２２ｌが、互いに対向する側に突出させて設けられている。下カバー部材９は、内障子３及び外障子４を閉じたときに、左右方向における中央にて召合せ框（不図示）の下の空間を塞ぐ風止め部材(不図示)を挟んで、風止め部材の両側の全領域にわたってそれぞれ設けられている。
【００３７】
下カバー部材９は、アルミニウム製または合成樹脂製の押出成形材であり、下突起２２２ｌより上方にて、上面が平面をなす下カバー板部９ａと、下カバー板部９ａの下面に設けられ下突起２２２ｌに係止される下内係止部９ｂ及び下外係止部９ｃと、下カバー板部９ａの、下内係止部９ｂ及び下外係止部９ｃより室内側に設けられ加熱発泡材８を保持する下加熱発泡材保持部９ｄと、を有している。
【００３８】
下カバー板部９ａは、室内側下レール２２ａと室外側下レール２２ｂとの間を覆う板状の部位である。下内係止部９ｂは、見込み方向において、下カバー板部９ａにおける中央より室内寄りの位置から下方に延出され先端に内係止片９ｅが設けられており、下外係止部９ｃは、下カバー板部９ａにおける室外側の端部から下方に延出され先端に外係止片９ｆが設けられている。また、図４に示すように、下内係止部９ｂは、左右方向における一部において下端部が切り欠かれた水抜き凹部９ｉが設けられている。
【００３９】
下加熱発泡材保持部９ｄは、室内側下レール２２ａに近接させて配置される下カバー板部９ａの室内側に設けられている。下加熱発泡材保持部９ｄは、下カバー板部９ａの室内側の縁と、室内側の縁から室外側に間隔を空けた位置にそれぞれ設けられ、下方に突出された２つの下方突出部９ｇと、２つの下方突出部９ｇの上端部から互いに対向する方向に延出された下延出係合片９ｈと、を有している。
【００４０】
２つの下方突出部９ｇの見込み方向における間隔は、保持する加熱発泡材８の幅より僅かに広く設けられ、下カバー板部９ａと下延出係合片９ｈとの上下方向の間隔は保持する加熱発泡材８の厚みより僅かに広く設けられている。
【００４１】
加熱発泡材８は、下カバー部材９の側方から下加熱発泡材保持部９ｄに長手方向に沿って挿入して装着する。互いに対向する下延出係合片９ｈ間は間隔が空いており、下加熱発泡材保持部９ｄは、下枠本体２２０と下カバー部材９との間の空間側が開放されている。このため、下加熱発泡材保持部９ｄに係合されて装着された加熱発泡材８は、下枠本体２２０側に露出している。
加熱発泡材８が装着された下カバー部材９は、内係止片９ｅ及び外係止片９ｆが下突起２２２ｌに係止されて取り付けられる。
【００４２】
下カバー部材９が、下枠本体２２０に取り付けられたときに、下カバー部材９に設けられた加熱発泡材８が、下枠２２の断熱材２４と対向するように配置される。このとき、加熱発泡材８及び下延出係合片９ｈが排水経路を遮ることがないように、加熱発泡材８及び下延出係合片９ｈの下端と、排水面をなす下内連結部２２１ａの上面２２１ｃ、下断熱材２４の上面２４ａ、及び下外連結部２２２ａの上面２２２ｊとは、上下方向に間隔が空けられている。
【００４３】
本実施形態の断熱枠部材としての枠体２を備えた建具１によれば、加熱されたときに、上室内枠材２１１と上室外枠材２１２とを連結する断熱材２４を覆っている上カバー部材６と、上室内枠材２１１と上室外枠材２１２とが連結されている上枠本体２１０との間に発泡する加熱発泡材８が設けられているので、火災等により加熱されたとしても、断熱材２４は発泡した加熱発泡材８により覆われる。このため、加熱された場合であっても、上室内枠材２１１と上室外枠材２１２とを連結する断熱材２４が溶融されることを防止することが可能である。
【００４４】
また、加熱されたときに、下室内枠材２２１と下室外枠材２２２とを連結する断熱材２４を覆っている下カバー部材９と、下室内枠材２２１と下室外枠材２２２とが連結されている下枠本体２２０との間に発泡する加熱発泡材８が設けられているので、火災等により加熱されたとしても、断熱材２４は発泡した加熱発泡材８により覆われる。このため、加熱された場合であっても、下室内枠材２２１と下室外枠材２２２とを連結する断熱材２４が溶融されることを防止することが可能である。このため、加熱された場合であっても、上室内枠材２１１と上室外枠材２１２とを、また、下室内枠材２２１と下室外枠材２２２とを、それぞれ連結する断熱材２４が溶融し難い枠体２及び枠体２を備えた建具１を提供することが可能である。
【００４５】
また、上カバー部材６に設けられた上加熱発泡材保持部６ｄ及び下カバー部材９に設けられた下加熱発泡材保持部９ｄに加熱発泡材８を係合させるだけで、加熱発泡材８を上カバー部材６及び下カバー部材９に備えることが可能である。このため、例えば、接着する、或いは、加熱発泡材８を備える為の別の部材を用いることなく容易に、かつ安価に加熱発泡材８を備えることが可能である。
【００４６】
上加熱発泡材保持部６ｄは上枠本体２１０と上カバー部材６との間に形成される空間側が開放されているので、加熱発泡材８を上加熱発泡材保持部６ｄに備えるだけで加熱された際には、加熱発泡材８を上枠本体２１０と上カバー部材６との間に発泡させることが可能である。また、下加熱発泡材保持部９ｄは下枠本体２２０と下カバー部材９との間に形成される空間側が開放されているので、加熱発泡材８を下加熱発泡材保持部９ｄに備えるだけで加熱された際には、加熱発泡材８を下枠本体２２０と下カバー部材９との間に発泡させることが可能である。
【００４７】
また、加熱発泡材８は、上加熱発泡材保持部６ｄに保持されて上枠本体２１０側に露出し、下加熱発泡材保持部９ｄに保持されて下枠本体２２０側に露出しているので、視認されない。このため、防火性と意匠性に優れた建具１を提供することが可能である。
また、加熱発泡材８と断熱材２４とは対向しているので、加熱されたときには、より確実に断熱材２４を覆って断熱材２４の溶融を防止することが可能である。
【００４８】
また、加熱発泡材８は、下内連結部２２１ａの上面２２１ｃ、下内本体部２２１ｂの上面２２１ｄ、断熱材２４の上面２４ａ、下外連結部２２２ａの上面２２２ｊ、及び、下連結上面部２２２ｃの上面２２２ｋにより形成された排水面と間隔を空けて設けられているので、加熱発泡材８により室内側から室外側に排出される水の排水経路を遮ることなく加熱発泡材８を設けることが可能である。
【００４９】
上記実施形態においては、加熱発泡材８が断熱材２４と対向している例について説明したが、これに限らず、加熱されて発泡したときに、上枠本体２１０と上カバー部材６との間及び下枠本体２２０と下カバー部材９との間に発泡し、断熱材２４を覆うように設けられていれば構わない。
【００５０】
上記実施形態においては、加熱発泡材８が、上カバー部材６の上加熱発泡材保持部６ｄ及び下カバー部材９の下加熱発泡材保持部９ｄにそれぞれ係合されて捧持されている例について説明したが、これに限るものではない。例えば、図５に示すように、加熱発泡材８が上カバー部材６の上カバー板部６ａ及び下カバー部材９の下カバー板部９ａに両面テープ等により貼り付けられていても良い。
【００５１】
上記実施形態においては、上枠及び下枠を例に挙げて説明したが、これに限るものではなく、例えば、図６に示すように、断熱材２４により縦室内枠材２３１と縦室外枠材２３２とが連結されている縦枠本体２３０及び縦カバー部材１２を備えた縦枠２３であっても構わない。
【００５２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５３】
１  建具、２  枠体、３  内障子、４  外障子、６  上カバー部材、
６ｄ  上加熱発泡材保持部、８  加熱発泡材、９  下カバー部材、
９ｄ  下加熱発泡材保持部、１２  縦カバー部材、２１  上枠、２２  下枠、
２３  縦枠、２４  断熱材、２４ａ  断熱材の上面、２１０  上枠本体、
２１１  上室内枠材（室内部材）、２１２  上室外枠材（室外部材）、
２２０  下枠本体、２２１  下室内枠材（室内部材）、２２１ｃ  下内連結部の上面、
２２１ｄ  下内本体部の上面、２２２  下室外枠材（室外部材）、
２２２ｊ  下外連結部の上面、２２２ｋ  下連結上面部の上面、２３０  縦枠本体、
２３１  縦室内枠材（室内部材）、２３２  縦室外枠材（室外部材）
【図１】
2018080550.tif 000003
【図２】
2018080550.tif 000004
【図３】
2018080550.tif 000005
【図４】
2018080550.tif 000006
【図５】
2018080550.tif 000007
【図６】
2018080550.tif 000008